(57)【要約】【課題】  印刷装置側にカラー／モノクロ印刷切り替え機能などを持つことにより、カラー／モノクロ印刷切り替え機能を持つ印刷装置を容易に用いることができる印刷技術を提供する。【解決手段】  ページ単位でカラー印刷とモノクロ印刷とを切り替えることができる印刷装置において、印刷装置２で印刷データを受け取ったとき、データ処理部２３が、当該ページの印刷データにカラーデータが含まれるか否かを示す色情報を抽出し、その色情報に従って当該ページをカラー印刷にするか否かを判断する構成にした。また、情報処理装置がカラーで印刷する描画オブジェクトの種類を指定した印刷要求を送ってきたとき、印刷装置２では、データ処理部２３が指定されたオブジェクト種を認識し、システム制御部２１はそのオブジェクト種が含まれるページのみカラー印刷させる構成にした。【選択図】        図３
2006110915.tif 000002
【特許請求の範囲】
【請求項１】
ページ単位でカラー印刷とモノクロ印刷とを切り替えることが可能な印刷装置において、印刷データを受け取った際、当該ページの印刷データにカラーデータが含まれるか否かを示す色情報を抽出し、該色情報に従って当該ページをカラー印刷にするか否かを判断する印刷色判断手段を備えたことを特徴とする印刷装置。
【請求項２】
ページ単位でカラー印刷とモノクロ印刷とを切り替えることが可能な印刷装置において、カラーで印刷する描画オブジェクトの種類を指定するオブジェクト指定手段を備え、該オブジェクト指定手段により指定されたオブジェクト種が含まれるページのみカラー印刷を行う構成にしたことを特徴とする印刷装置。
【請求項３】
ページ単位でカラー印刷とモノクロ印刷とを切り替えることが可能な印刷装置において、カラー印刷またはモノクロ印刷を行うページを指定するページ指定手段を備え、該ページ指定手段により指定されたページのみカラー印刷またはモノクロ印刷を行う構成にしたことを特徴とする印刷装置。
【請求項４】
描画オブジェクト単位でカラー印刷とモノクロ印刷とを切り替えることが可能な印刷装置において、カラー印刷またはモノクロ印刷を行う描画オブジェクトを指定するオブジェクト指定手段を備え、該オブジェクト指定手段により指定された描画オブジェクトのみカラー印刷またはモノクロ印刷を行う構成にしたことを特徴とする印刷装置。
【請求項５】
請求項２または請求項４記載の印刷装置において、前記描画オブジェクトとして、イメージオブジェクト、グラフィックオブジェクト、またはテキストオブジェクトを含むことを特徴とする印刷装置。
【請求項６】
ページ単位でカラー印刷とモノクロ印刷とを切り替えることが可能な印刷システムにおいて、印刷要求を送出する情報処理装置側では、当該ページの印刷データにカラーデータが含まれるか否かを示す色情報をそれぞれのページの画像データ中に付加した印刷要求を印刷装置へ送信し、該印刷要求を受け取った印刷装置では、当該ページの印刷データから前記色情報を抽出し、該色情報に従って当該ページをカラー印刷にするか否かを判断する構成にしたことを特徴とする印刷システム。
【請求項７】
ページ単位でカラー印刷とモノクロ印刷とを切り替えることが可能な印刷システムにおいて、印刷要求を送出する情報処理装置側では、カラーで印刷する描画オブジェクトの種類を印刷要求中で指定し、該印刷要求を受け取った印刷装置では、指定されたオブジェクト種が含まれるページのみカラー印刷を行う構成にしたことを特徴とする印刷システム。
【請求項８】
ページ単位でカラー印刷とモノクロ印刷とを切り替えることが可能な印刷システムにおいて、印刷要求を送出する情報処理装置側では、カラー印刷またはモノクロ印刷を行うページを印刷要求中で指定し、該印刷要求を受け取った印刷装置では、指定されたページのみカラー印刷またはモノクロ印刷を行う構成にしたことを特徴とする印刷システム。
【請求項９】
描画オブジェクト単位でカラー印刷とモノクロ印刷とを切り替えることが可能な印刷システムにおいて、印刷要求を送出する情報処理装置側では、カラー印刷またはモノクロ印刷を行う描画オブジェクトを印刷要求中で指定し、該印刷要求を受け取った印刷装置では、指定された描画オブジェクトのみカラー印刷またはモノクロ印刷を行う構成にしたことを特徴とする印刷システム。
【発明の詳細な説明】
【技術分野】
【０００１】
本発明は、ページ単位や描画オブジェクト単位でカラー印刷とモノクロ印刷とを切り替えることが可能なプリンタやデジタル複写機など印刷装置およびその印刷装置を含む印刷システムに関する。
【背景技術】
【０００２】
カラー複写機などにおいては、従来より、原稿上の画像をレッド（Ｒｅｄ、赤）とグリーン（Ｇｒｅｅｎ、緑）とブルー（Ｂｌｕｅ、青）（以下、ＲＧＢと称す）に色分解して読み取り、色分解された入力画像データを印刷系のトナー色であるシアン（Ｃｙａｎ）とマゼンタ（Ｍａｇｅｎｔａ）とイエロー（Ｙｅｌｌｏｗ）（以下、ＣＭＹと称す）の各色の成分に変換し、変換された各色の画像データに基づいてＣ、Ｍ、Ｙのトナーを重ね合わせることにより所望のカラー画像を印刷する。理論的には、Ｃ、Ｍ、Ｙの各色の組み合わせですべての色を再現することができる。黒や灰色のような無彩色もＣ、Ｍ、Ｙを対応したトナー濃度で重ね合わせることにより再現できる。
しかし、現実には、Ｃ、Ｍ、Ｙを印刷する各色のトナーの分光濃度が理論的な特性からずれていることや、Ｃ、Ｍ、Ｙの重ね合わせにより得られる色の理論上の特性と実際の特性とにずれがあるため、Ｃ、Ｍ、Ｙのみの使用では期待する色が得られないことが多い。例えば、灰色を得るために同量のＣ、Ｍ、Ｙのトナーを重ね合わせて印刷しても、印刷色に有色の成分が含まれることが多い。そのようなことから、近年では、Ｃ、Ｍ、ＹにＫ（黒）を追加して、４つの基本色を用いるカラー複写機が多くなってきている。
【０００３】
一方、近年では、カラースキャナを持つ白黒複写機もあるし、カラー複写機においては、外部インタフェース（Ｉ／Ｆ）を介してパーソナルコンピュータ（以下、ＰＣと称す）からスキャナ機能を利用するというような使い方も増えてきている。ＰＣが要求する画像の種類も、ＲＧＢフルカラー画像、ＲＧＢ各２値画像、モノクロ多値画像、モノクロ２値画像、シングルカラー画像など、多種になっている。
また、プリンタなど印刷装置を用いる情報処理装置側に、ページ単位でカラー印刷とモノクロ印刷とを切り替える機能や、画像データ中のイメージ領域、グラフィック領域、テキスト領域など描画オブジェクトの種類を識別できる機能を持つようにした従来技術も提供されている。例えば、特許文献１に示された従来技術では、プリンタに印刷を行わせるＰＣなど情報処理装置において、ページ単位でカラー印刷とモノクロ印刷とを切り替える機能を持ち、情報処理装置内のアプリケーションから印刷要求があると、まず、その情報処理装置に実装されているプリンタドライバ内の第１前処理モジュールが文書データを中間印刷データに変換し、第２前処理モジュールに渡す。第２前処理モジュールは中間印刷データからページの開始コードを検索し、当該ページが白黒以外の色情報を含んでいるか、利用者が指定した描画オブジェクトを含み且つ白黒以外の色情報を含むか、あるいは、利用者が指定したページであるかというような所定の条件に合致するか否かをチェックする。そして、その所定の条件に合致しないときには、第２前処理モジュールは当該ページが白黒のみであると判断し、所定の条件に合致するときには、ページの開始部分にカラー印刷コードを挿入してプリンタに渡す。
【特許文献１】特開２００２−２１１０４８公報
【発明の開示】
【発明が解決しようとする課題】
【０００４】
しかしながら、特許文献１に示された従来技術では、情報処理装置側のプリンタドライバにカラー／モノクロ印刷切り替え機能を実装しなければならないので、その分だけ情報処理装置側の負担が増えるし、そのような機能を持たないプリンタドライバでは印刷を行うことができないという問題がある。
本発明の目的は、このような従来技術の問題を解決しようとするものであり、具体的には、印刷装置側にオブジェクト種類識別機能やカラー／モノクロ印刷切り替え機能を持つことにより、カラー／モノクロ印刷切り替え機能を持つ印刷装置を容易に用いることができる印刷技術を提供することにある。
【課題を解決するための手段】
【０００５】
前記した課題を解決するために、請求項１記載の発明では、ページ単位でカラー印刷とモノクロ印刷とを切り替えることができる印刷装置において、印刷データを受け取ったとき、当該ページの印刷データにカラーデータが含まれるか否かを示す色情報を抽出し、その色情報に従って当該ページをカラー印刷にするか否かを判断する印刷色判断手段を備えた。
また、請求項２記載の発明では、ページ単位でカラー印刷とモノクロ印刷とを切り替えることができる印刷装置において、カラーで印刷する描画オブジェクトの種類を指定するオブジェクト指定手段を備え、そのオブジェクト指定手段により指定されたオブジェクト種が含まれるページのみカラー印刷を行う構成にした。
また、請求項３記載の発明では、ページ単位でカラー印刷とモノクロ印刷とを切り替えることができる印刷装置において、カラー印刷またはモノクロ印刷を行うページを指定するページ指定手段を備え、そのページ指定手段により指定されたページのみカラー印刷またはモノクロ印刷を行う構成にした。
また、請求項４記載の発明では、描画オブジェクト単位でカラー印刷とモノクロ印刷とを切り替えることができる印刷装置において、カラー印刷またはモノクロ印刷を行う描画オブジェクトを指定するオブジェクト指定手段を備え、そのオブジェクト指定手段により指定された描画オブジェクトのみカラー印刷またはモノクロ印刷を行う構成にした。
また、請求項５記載の発明では、請求項２または請求項４記載の発明において、前記描画オブジェクトとして、イメージオブジェクト、グラフィックオブジェクト、またはテキストオブジェクトを含む構成にした。
【０００６】
また、請求項６記載の発明では、ページ単位でカラー印刷とモノクロ印刷とを切り替えることができる印刷システムにおいて、印刷要求を送出する情報処理装置側では、当該ページの印刷データにカラーデータが含まれるか否かを示す色情報をそれぞれのページの画像データ中に付加した印刷要求を印刷装置へ送信し、その印刷要求を受け取った印刷装置では、当該ページの印刷データから前記色情報を抽出し、その色情報に従って当該ページをカラー印刷にするか否かを判断する構成にした。
また、請求項７記載の発明では、ページ単位でカラー印刷とモノクロ印刷とを切り替えることができる印刷システムにおいて、印刷要求を送出する情報処理装置側では、カラーで印刷する描画オブジェクトの種類を印刷要求中で指定し、その印刷要求を受け取った印刷装置では、指定されたオブジェクト種が含まれるページのみカラー印刷を行う構成にした。
また、請求項８記載の発明では、ページ単位でカラー印刷とモノクロ印刷とを切り替えることができる印刷システムにおいて、印刷要求を送出する情報処理装置側では、カラー印刷またはモノクロ印刷を行うページを印刷要求中で指定し、その印刷要求を受け取った印刷装置では、指定されたページのみカラー印刷またはモノクロ印刷を行う構成にした。
また、請求項９記載の発明では、描画オブジェクト単位でカラー印刷とモノクロ印刷とを切り替えることができる印刷システムにおいて、印刷要求を送出する情報処理装置側では、カラー印刷またはモノクロ印刷を行う描画オブジェクトを印刷要求中で指定し、その印刷要求を受け取った印刷装置では、指定された描画オブジェクトのみカラー印刷またはモノクロ印刷を行う構成にした。
【発明の効果】
【０００７】
本発明によれば、請求項１および請求項６記載の発明では、印刷データを受け取ったとき、印刷装置おいて、当該ページの印刷データにカラーデータが含まれるか否かを示す色情報を抽出し、その色情報に従って当該ページをカラー印刷にするか否かを判断できるので、情報処理装置側では各ページの印刷データ中に前記色情報を付加するだけでカラー／モノクロ印刷切り替えをページ単位で行うことができるため、カラー／モノクロ印刷切り替え機能を持つ印刷装置を容易に用いることができる。
また、請求項２および請求項７記載の発明では、情報処理装置側でオブジェクト種を指定すると、印刷装置側ではそのオブジェクト種が含まれるページのみカラー印刷を行うようにしているので、ページ単位でカラー印刷とモノクロ印刷とを切り替えることができる機能を持つ印刷装置を容易に用いることができる。
また、請求項３および請求項８記載の発明では、情報処理装置側でページを指定すると、印刷装置側ではそのページのみカラー印刷またはモノクロ印刷を行うようにしているので、ページ単位でカラー印刷とモノクロ印刷とを切り替えることができる機能を持つ印刷装置を容易に用いることができる。
また、請求項４および請求項９記載の発明では、情報処理装置側で描画オブジェクトを指定すると、印刷装置側ではその描画オブジェクトのみカラー印刷またはモノクロ印刷を行うようにしているので、描画オブジェクト単位でカラー印刷とモノクロ印刷とを切り替える機能を持つ印刷装置を容易に用いることができる。
また、請求項５記載の発明では、請求項２または請求項４記載の発明において、描画オブジェクトとして、イメージオブジェクト、グラフィックオブジェクト、またはテキストオブジェクトを含むことができるので、そのような描画オブジェクトについて請求項２または請求項４記載の発明の効果を得ることができる。
【発明を実施するための最良の形態】
【０００８】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明の一実施形態を示す印刷システムのシステム構成図である。図示したように、この実施形態の印刷システムは、複数の情報処理装置（例えばＰＣ）１がＬＡＮ３を介してプリンタなど印刷装置２を共有する構成である。
図２に、情報処理装置１の構成ブロック図を示す。図示したように、この情報処理装置１は、ＯＳやハードディスク記憶装置などを有してこの情報処理装置１の全体を制御・管理するシステム制御部１１、キーボードや表示装置を有して利用者にデータ入力や操作を行わせる操作部１２、アプリケーションプログラムに従って各種アプリケーションを実行するアプリケーション部１３、プリンタなど印刷装置２を用いた印刷を行うためにアプリケーションレベルの通信を印刷装置２との間で行うプリンタドライバ１４、ＬＡＮ３によった通信の下位層レベルの制御を行う通信制御部１５などを備えている。なお、前記システム制御部１１、アプリケーション部１３、プリンタドライバ１４、および通信制御部１５は、独自または共有のＣＰＵおよびメモリ（例えばＲＡＭ）を有する。
図３は、印刷装置２の構成ブロック図である。図示したように、この印刷装置２は、ＯＳやハードディスク記憶装置などを有してこの印刷装置２の全体を制御・管理したりアプリケーションレベルの通信制御を行なったりするシステム制御部２１、ＬＡＮ３によった通信の下位層レベルの制御を行う通信制御部２２、本発明に係るカラー印刷／モノクロ印刷の切り替え処理などを行うデータ処理部２３、および例えば電子写真方式の画像形成プロセスを有して印刷用紙への印刷を行う印刷部２４などを備えている。なお、前記システム制御部２１、通信制御部２２、およびデータ処理部２３は、独自または共有のＣＰＵおよびメモリ（例えばＲＡＭ）を有する。
以下、前記したような実施形態の印刷システムを用いた本発明の各実施例を説明する。
【実施例１】
【０００９】
この実施例の印刷システムでは、印刷装置２が情報処理装置１から印刷データを受け取ったとき、印刷装置２において、各ページについて、当該ページの印刷データにカラーデータが含まれるか否かを示す色情報を、受け取った印刷データ中から抽出し、その色情報に従って当該ページをカラー印刷にするかモノクロ印刷にするかを判断する。なお、この実施例では、請求項１記載の印刷色判定手段がデータ処理部２３により実現される。以下、図４に示した動作フローに従って、この実施例を説明する。
まず、印刷装置２のシステム制御部２１が通信制御部２２を介して情報処理装置１から送られてきた印刷データを取得する。そうすると、システム制御部２１はその印刷データをデータ処理部２３に渡す。これにより、データ処理部２３は当該ページの印刷データを検索し、当該ページの印刷データにカラーデータが含まれるか否かを示す色情報を抽出する（Ｓ１）。そして、その色情報がカラーデータの含まれていることを示していたならば（Ｓ２でＹｅｓ）、あらかじめ行なった設定を参照してカラー印刷を行うか、そのカラーデータをモノクロデータに変換してモノクロ印刷を行うか否かを判定する（Ｓ３）。
その結果、カラーで印刷するという判定であれば（Ｓ３でＮｏ）、システム制御部２１は印刷部２４に指示して当該ページをカラーで印刷させる（Ｓ４）。また、モノクロで印刷するという判定であれば（Ｓ３でＹｅｓ）、データ処理部２３はカラーデータをモノクロデータに変換してシステム制御部２１に変換したデータを渡し（Ｓ５）、システム制御部２１は印刷部２４にそのモノクロデータを渡して当該ページをモノクロで印刷させる（Ｓ６）。
【００１０】
一方、色情報がカラーデータの含まれていないことを示していたならば（Ｓ２でＮｏ）、システム制御部２１は印刷部２４に印刷データを渡して当該ページをモノクロで印刷させる（Ｓ６）。
当該ページの印刷が終了すると、システム制御部２１は全ページ分の印刷データの印刷が終了したか否かを判定し（Ｓ７）、終了していなければ（Ｓ７でＮｏ）、次のページについてステップＳ１から繰り返す。そして、全ページ分の印刷が終了すると（Ｓ７でＹｅｓ）、この動作フローを終了させる。
なお、前記において、情報処理装置１から送られてきた印刷データがＲＧＢデータであった場合には、データ処理部２３においてＣＭＹＫデータに変換する。
このように、この実施例の印刷システムでは、印刷装置側にカラー／モノクロ印刷切り替え機能を持つので、利用者はカラー／モノクロ印刷切り替えを意識することなく、そのような機能を持つ印刷装置を用いてカラー印刷またはモノクロ印刷を容易に行うことができる。
【実施例２】
【００１１】
この実施例の印刷システムでは、カラーで印刷する描画オブジェクトの種類を指定するオブジェクト指定手段を備え、そのオブジェクト指定手段により指定されたオブジェクト種が含まれるページのみカラー印刷を行う。なお、この実施例では、オブジェクト指定手段は情報処理装置１から印刷装置２へ出される印刷要求であり、この印刷要求中に指定された描画オブジェクトの種類を含んだページをカラーで印刷する。描画オブジェクトの種類としては、イメージオブジェクト、グラフィックオブジェクト、テキストオブジェクトなどがあり、例えば印刷要求中にイメージオブジェクトをカラー印刷にするというように指定するのである。以下、図５に示した動作フローに従って、この実施例を説明する。
まず、印刷装置２のシステム制御部２１が通信制御部２２を介して情報処理装置１から送られてきた印刷データを含む印刷要求を取得する。そうすると、システム制御部２１はその印刷要求をデータ処理部２３に渡す。これにより、データ処理部２３は印刷要求のヘッダ部を検索し、カラー印刷とする描画オブジェクトの種類を抽出する（Ｓ１１）。続いて、データ処理部２３は印刷データ中から最初のページの開始コードを検索し、開始コードが見つかると、抽出されている前記描画オブジェクトの種類を示すコードを後続の印刷データ中から検索する（Ｓ１２）。
この検索を当該ページの終了コードの位置に達しない限り続け（Ｓ１３でＮｏ→Ｓ１２）、その描画オブジェクトの種類を示すコードが見つからないまま（Ｓ１２でＮｏ）当該ページの終了コードの位置に達すると（Ｓ１３でＹｅｓ）、システム制御部２１は印刷部２４に指示して当該ページをモノクロで印刷させる（Ｓ１４）。それに対して、描画オブジェクトの種類を示すコードが見つかると（Ｓ１２でＹｅｓ）、そのページの最後まで検索を続けた後（Ｓ１６）、システム制御部２１は印刷部２４に指示して当該ページをカラーで印刷させる（Ｓ１７）。
当該ページの印刷が終了すると、システム制御部２１は全ページ分の印刷データの印刷が終了したか否かを判定し（Ｓ１５）、終了していなければ（Ｓ１５でＮｏ）、次のページについてステップＳ１２から繰り返す。そして、全ページ分の印刷が終了すると（Ｓ１５でＹｅｓ）、この動作フローを終了させる。
こうして、この実施例によれば、すべてのページについてはカラー印刷したくないが、イメージやグラフィックの部分など特定の描画オブジェクトを含むページだけカラー印刷したいというような場合でも、印刷装置側でカラー／モノクロ印刷切り替えを行うことができ、情報処理装置側でそのようなカラー／モノクロ印刷切り替えを考慮することなく、そのような切り替え印刷を行うことができる。
【実施例３】
【００１２】
この実施例の印刷システムでは、カラーで印刷するページを指定するページ指定手段を備え、そのページ指定手段により指定されたページのみカラー印刷を行う。なお、この実施例では、ページ指定手段は情報処理装置１から印刷装置２へ出される印刷要求であり、この印刷要求中に指定されたページをカラーで印刷する。以下、図６に示した動作フローに従って、この実施例を説明する。
まず、印刷装置２のシステム制御部２１が通信制御部２２を介して情報処理装置１から送られてきた印刷データを含む印刷要求を取得する。そうすると、システム制御部２１はその印刷要求をデータ処理部２３に渡す。これにより、データ処理部２３は印刷要求のヘッダ部を検索し、カラー印刷とするページの番号を抽出する（Ｓ２１）。そして、データ処理部２３は印刷データ中から最初のページの開始コードを検索し、開始コードが見つかると、当該ページの番号を直後の画像データ中から取得し、そのページ番号がカラー印刷するページか否かを判定する（Ｓ２２）。
その結果、そのページ番号がカラー印刷するページでなかったならば（Ｓ２２でＮｏ）、システム制御部２１は印刷部２４に指示して当該ページをモノクロで印刷させる（Ｓ２３）。それに対して、そのページ番号がカラー印刷するページであったならば（Ｓ２２でＹｅｓ）、システム制御部２１は印刷部２４に指示して当該ページをカラーで印刷させる（Ｓ２４）。
その後、当該ページの印刷が終了すると、システム制御部２１は全ページ分の印刷データの印刷が終了したか否かを判定し（Ｓ２５）、終了していなければ（Ｓ２５でＮｏ）、次のページについてステップＳ２１から繰り返す。そして、全ページ分の印刷が終了すると（Ｓ２５でＹｅｓ）、この動作フローを終了させる。
なお、前記においては、指定されたページをカラー印刷とし、そうでないページをモノクロ印刷としたが、その逆でもよい。例えばテキストオブジェクトだけから成るページをモノクロで印刷するページとして指定し、そうでないページをカラー印刷するのである。
こうして、この実施例によれば、すべてのページについてはカラー印刷したくないが、例えばイメージやグラフィックなどを含むページだけカラー印刷したいというような場合でも、印刷装置側でカラー／モノクロ印刷切り替えを行うことができ、情報処理装置側でそのようなカラー／モノクロ印刷切り替えを考慮することなく、そのような切り替え印刷を行うことができる。
【実施例４】
【００１３】
この実施例の印刷システムでは、印刷装置２が描画オブジェクト単位でカラー印刷とモノクロ印刷とを切り替えることができる。また、カラー印刷またはモノクロ印刷を行う描画オブジェクトを指定するオブジェクト指定手段を備える。そして、そのオブジェクト指定手段により指定された描画オブジェクトのみカラー印刷またはモノクロ印刷を行う。なお、この実施例では、オブジェクト指定手段は情報処理装置１から印刷装置２へ出される印刷要求であり、この印刷要求中に指定されたオブジェクトをカラーまたはモノクロで印刷する。また、この印刷装置２は、Ｃ、Ｍ、Ｙ、Ｋ（黒）それぞれについてトナーによる現像までを独立に行う画像形成プロセスを持つ。
具体的には、まず、潜像形成のためのページ印刷データ作成に際して、Ｃ、Ｍ、Ｙ分については、カラー印刷と指定された当該ページの各描画オブジェクトの印刷データのＣ、Ｍ、Ｙ各データを重ね書きして作成し、Ｋ分については、同一ページ内の各モノクロ印刷オブジェクトと各カラー印刷オブジェクトのＫデータを重ね書きして作成する。そして、作成されたＣ、Ｍ、Ｙ、Ｋそれぞれの印刷データを用いてそれぞれの静電潜像を作成し、Ｃ、Ｍ、Ｙ、Ｋそれぞれについてトナーによる現像までを独立に行い、転写はＣ、Ｍ、Ｙ、Ｋそれぞれのトナー像を同一の印刷用紙に対して重ね合わせて行う。
こうして、この実施例によれば、印刷装置側において、描画オブジェクト単位でカラー／モノクロ印刷切り替えを行うことができ、情報処理装置側にそのようなカラー／モノクロ印刷切り替え機能がなくても、そのような切り替え印刷を行うことができる。
【図面の簡単な説明】
【００１４】
【図１】本発明の一実施形態を示す印刷システムのシステム構成図。
【図２】本発明の一実施形態を示す情報処理装置の構成ブロック図。
【図３】本発明の一実施形態を示す印刷装置の構成ブロック図。
【図４】本発明の第１の実施例を示す印刷装置の動作フロー図。
【図５】本発明の第２の実施例を示す印刷装置の動作フロー図。
【図６】本発明の第３の実施例を示す印刷装置の動作フロー図。
【符号の説明】
【００１５】
１  情報処理装置
２  印刷装置
２１  システム制御部
２２  通信制御部
２３  データ処理部
２４  印刷部
【図１】
2006110915.tif 000003
【図２】
2006110915.tif 000004
【図３】
2006110915.tif 000005
【図４】
2006110915.tif 000006
【図５】
2006110915.tif 000007
【図６】
2006110915.tif 000008